【手続補正書】
【提出日】平成17年11月15日(2005.11.15)
【手続補正１】
【補正対象書類名】明細書
【補正対象項目名】発明の名称
【補正方法】変更
【補正の内容】
【発明の名称】製造情報管理構造
【手続補正２】
【補正対象書類名】明細書
【補正対象項目名】特許請求の範囲
【補正方法】変更
【補正の内容】
【特許請求の範囲】
【請求項１】  特定回線(L)を介して製造部門(M)およびデータベースサーバ(20)が相互に交信し得るコンピュータネットワークと、
前記製造部門(M)に設けられる第１クライアントマシン(MC)から製造に関する各種情報の入出力が可能であって、これにより該製造情報をリアルタイムに共有し得るようにした製造管理手段(40)とからなり、
前記製造管理手段(40)により管理され、必要な部材個別情報(IP)を製品を構成する各種部材(A,B,C,D,E,F,G)に付与すると共に、外部から必要に応じて該情報を読み取り可能とする電子的識別手段(90)を用いる
ことを特徴とする製造情報管理構造。
【請求項２】  特定回線(L)を介して製造部門(M)、営業部門(S)およびデータベースサーバ(20)が相互に交信し得るコンピュータネットワークと、
前記製造部門(M)に設けられる第１クライアントマシン(MC)および前記営業部門(S)に設けられる第３クライアントマシン(SC)から受注に関する各種情報の入出力が可能であって、これにより該受注情報をリアルタイムに共有し得るようにした受注管理手段(30)と、
前記第１クライアントマシン(MC)および第３クライアントマシン(SC)から製造に関する各種情報の入出力が可能であって、これにより該製造情報をリアルタイムに共有し得るようにした製造管理手段(40)とからなり、
前記受注管理手段(30)および製造管理手段(40)の間で、前記全ての情報を相互に共有可能とし、前記夫々の情報を常に最新状態に保つことで前記製造部門(M)および営業部門(S)に最新状態の情報を提供可能とし、
前記各管理手段(30,40)により管理され、必要な部材個別情報(IP)を製品を構成する各種部材(A,B,C,D,E,F,G)に付与すると共に、外部から必要に応じて該情報を読み取り可能とする電子的識別手段(90)を用いる
ことを特徴とする製造情報管理構造。
【請求項３】  特定回線(L)を介して製造部門(M)、品質管理部門(Q)、営業部門(S)およびデータベースサーバ(20)が相互に交信し得るコンピュータネットワークと、
前記製造部門(M)に設けられる第１クライアントマシン(MC)、前記品質管理部門(Q)に設けられる第２クライアントマシン(QC)および前記営業部門(S)に設けられる第３クライアントマシン(SC)から受注に関する各種情報の入出力が可能であって、これにより該受注情報をリアルタイムに共有し得るようにした受注管理手段(30)と、
前記第１クライアントマシン(MC)、第２クライアントマシン(QC)および第３クライアントマシン(SC)から製造に関する各種情報の入出力が可能であって、これにより該製造情報をリアルタイムに共有し得るようにした製造管理手段(40)と、
前記第１クライアントマシン(MC)、第２クライアントマシン(QC)および第３クライアントマシン(SC)から修理等のアフターサービスに関する各種情報の入出力が可能であって、これにより該アフターサービス情報をリアルタイムに共有し得るようにしたアフターサービス管理手段(50)とからなり、
前記受注管理手段(30)、製造管理手段(40)およびアフターサービス管理手段(50)の間で、前記全ての情報を相互に共有可能とし、前記夫々の情報を常に最新状態に保つことで前記製造部門(M)、品質管理部門(Q)および営業部門(S)に最新状態の情報を提供可能とし、
前記各管理手段(30,40,50)により管理され、必要な部材個別情報(IP)を製品を構成する各種部材(A,B,C,D,E,F,G)に付与すると共に、外部から必要に応じて該情報を読み取り可能とする電子的識別手段(90)を用いる
ことを特徴とする製造情報管理構造。
【請求項４】  特定回線(L)を介して製造部門(M)、品質管理部門(Q)、営業部門(S)およびデータベースサーバ(20)が相互に交信し得るコンピュータネットワークと、
前記製造部門(M)に設けられる第１クライアントマシン(MC)、前記品質管理部門(Q)に設けられる第２クライアントマシン(QC)および前記営業部門(S)に設けられる第３クライアントマシン(SC)から受注に関する各種情報の入出力が可能であって、これにより該受注情報をリアルタイムに共有し得るようにした受注管理手段(30)と、
前記第１クライアントマシン(MC)、第２クライアントマシン(QC)および第３クライアントマシン(SC)から製造に関する各種情報の入出力が可能であって、これにより該製造情報をリアルタイムに共有し得るようにした製造管理手段(40)と、
前記第１クライアントマシン(MC)、第２クライアントマシン(QC)および第３クライアントマシン(SC)から修理等のアフターサービスに関する各種情報の入出力が可能であって、これにより該アフターサービス情報をリアルタイムに共有し得るようにしたアフターサービス管理手段(50)とからなる主構造と、
少なくとも前記データベースサーバ(20)、第１クライアントマシン(MC)および第２クライアントマシン(QC)から各種部材(A,B,C,D,E,F,G)の不良に関する各種情報の入出力が可能であって、これにより該各種部材(A,B,C,D,E,F,G)の不良情報をリアルタイムに共有し得るようにした不良情報管理手段(70)並びに少なくとも前記データベースサーバ(20)、第１クライアントマシン(MC)、第２クライアントマシン(QC)、第３クライアントマシン(SC)、営業部門(S)の属する営業社員が有する携帯端末(SPC)および本社関連部門(H)から技術に関する各種情報の入出力が可能であって、これにより該技術情報をリアルタイムに共有し得るようにした技術情報共有手段(80)の少なくとも１つを有する付随構造とからなり、
前記受注管理手段(30)、製造管理手段(40)、アフターサービス管理手段(50)並びに不良情報管理手段(70)または／および技術情報共有手段(80)の間で、前記全ての情報を相互に共有可能とし、前記夫々の情報を常に最新状態に保つことで前記製造部門(M)、品質管理部門(Q)および営業部門(S)に最新状態の情報を提供可能とし、
主構造を形成する前記各管理手段(30,40,50)または／および付随構造を形成する不良情報管理手段(70)により管理され、必要な部材個別情報(IP)を製品を構成する各種部材(A,B,C,D,E,F,G)に付与すると共に、外部から必要に応じて該情報を読み取り可能とする電子的識別手段(90)を用いる
ことを特徴とする製造情報管理構造。
【請求項５】  パチンコ遊技機を構成する各種部材(A,B,C,D,E,F,G)に対して部材個別情報(IP)を有する電子的識別手段(90)を付与する部材製造部門(P)と、
前記電子的識別手段(90)により各種部材(A,B,C,D,E,F,G)の組み合わせを、予め設定された製造情報(IA)と照合して検査すると共に、該各種部材(A,B,C,D,E,F,G)の組み合わせ情報を記録する製造部門(M)と、
前記組み合わせ情報を基として、前記各種部材(A,B,C,D,E,F,G)の製造中および出荷後の製品に係る修理等の管理を行なう品質管理部門(Q)と、
出荷後の製品の状態の管理を行なう営業部門(S)とから構成され、
前記部材製造部門(P)、製造部門(M)、品質管理部門(Q)および営業部門(S)と、データベースサーバ(20)とは、特定回線(L)を介して相互に交信し得るコンピュータネットワークを構成している
ことを特徴とする製造情報管理構造。
【請求項６】  前記電子的識別手段(90)は、パチンコ遊技機を構成する各種部材(A,B,C,D,E,F,G)に対して付与され、該各種部材(A,B,C,D,E,F,G)の部材固有情報(IP)を電子的に有すると共に、製品の製造に先立ち、該各種部材(A,B,C,D,E,F,G)の組み合わせと予め設定された製造情報(IA)との照合検査、該製品における各種部材(A,B,C,D,E,F,G)の関連付け等に使用され、情報インデックスとしての機能を有する請求項１〜５の何れかに記載の製造情報管理構造。
【請求項７】  前記電子的識別手段(90)として、２次元コードが採用される請求項１〜６の何れかに記載の製造情報管理構造。
【請求項８】  前記製造管理手段(40)は、部材製造部門(P)である所定の社内部門または／および部材製造メーカーに対応する部材を発注する製品部材管理手段(42)と、製品の出荷に係る情報を管理する製品出荷管理手段(44)とからなる請求項１〜７の何れかに記載の製造情報管理構造。
【請求項９】  前記製品部材管理手段(42)による部材製造部門(P)への指示は、該部材製造部門(P)に設けられる第４クライアントマシン(PC)を介して行なわれる請求項８記載の製造情報管理構造。
【請求項１０】  前記製品出荷管理手段(44)による製造部門(M)への指示は、該製造部門(M)に設けられる第１クライアントマシン(MC)を介して行なわれる請求項８または９記載の製造情報管理構造。
【請求項１１】  前記アフターサービス管理手段(50)は、部材製造部門(P)である所定の社内部門または／および部材製造メーカーに対応する部材を発注するアフターサービス部材管理手段(52)と、アフターサービス部材の出荷に係る情報を管理するアフターサービス部材出荷管理手段(54)とからなる請求項３〜７の何れかに記載の製造情報管理構造。
【請求項１２】  前記アフターサービス部材管理手段(52)による部材製造部門(P)への指示は、該部材製造部門(P)に設けられる第４クライアントマシン(PC)を介して行なわれる請求項１１記載の製造情報管理構造。
【請求項１３】  前記アフターサービス部材出荷管理手段(54)による品質管理部門(Q)への指示は、該品質管理部門(Q)に設けられる第２クライアントマシン(QC)を介して行なわれる請求項１１または１２記載の製造情報管理構造。
【請求項１４】  前記受注管理手段(30)に対する入力は、前記営業部門(S)だけから行なわれる請求項２〜１３の何れかに記載の製造情報管理構造。
【請求項１５】  各種部材(A,B,C,D,E,F,G)に貼付される前記電子的識別手段(90)の付与は、前記部材製造部門(P)だけで行なわれる請求項８〜１４の何れかに記載の製造情報管理構造。
【請求項１６】  コンピュータネットワークに使用される特定回線(L)は、アナログ電話回線、ＩＳＤＮ電話回線、専用線その他ワイヤレス回線等が選択される請求項１〜１５の何れかに記載の製造情報管理構造。
【請求項１７】  前記製造部門(M)、品質管理部門(Q)、営業部門(S)および部材製造部門(P)は、データベースサーバ(20)に対してだけ特定回線(L)を介して交信し得るようにされている請求項１〜１６の何れかに記載の製造情報管理構造。
【手続補正３】
【補正対象書類名】明細書
【補正対象項目名】０００１
【補正方法】変更
【補正の内容】
【０００１】
【発明の属する技術分野】
この発明は、製造情報管理構造に関し、更に詳細には、殊にパチンコ遊技機の部材管理に好適に採用され、通常の電話回線、専用線、インターネットまたはＬＡＮ(ローカルエリアネットワーク)等により形成された特定回線網を介して、各営業、製造等の部門間で必要な情報をリアルタイムに共有し、製品の製造やアフターサービスに必要とされる各種部材の発注、納品、製造、出荷および修理等の際に必要とされる各種情報を効率よく処理することを可能とした製造情報管理構造に関するものである。
【手続補正４】
【補正対象書類名】明細書
【補正対象項目名】００１０
【補正方法】変更
【補正の内容】
【００１０】
【発明の目的】
この発明は、従来の製造情報管理について内在している前記問題に鑑み、これを好適に解決するべく提案されたものであって、製造時に必要とされる各種部材の製造、組み立ておよび修理等の際に必要とされる、各種の確認および検索等を自動化・システム化し、該情報を常に最新情報の共有し得ると共に、各種部材の製造部門または製造メーカー、製造日時および製造ロット等の部材情報を該部材の集合体である、パチンコ遊技機の製品の単位で関連付けを行なうことで、該各種部材の組み付け、受注先および出荷先の照合確認、該各種部材情報からの必要な部材情報等の逆引き並びに製造工程における効率的なスケジュール管理・変更等を容易に行ない得る製造情報管理構造を提供することを目的とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】変更
【補正の内容】
【００２０】
【発明の実施の形態】
次に、本発明に係る製造情報管理構造につき、好適な実施例を挙げて、添付図面を参照しながら以下説明する。本発明に係る製造情報管理構造は、各種部材の製造、組み立てに関する情報と修理等の際に必要とされる情報等を対応する各種部材に電子的識別手段を用いて付与することで、該各種部材に関する情報の確認および検索等を自動化・システム化し、該情報を常に最新情報として共有し得ると共に、該各種部材の組み立ての照合確認、受注先および出荷先の照合確認、該各種部材情報からの必要な部材情報等の逆引き並びに製造工程における効率的なスケジュール管理・変更等を容易に行ない得ることを知見し、実際の製造工程に適用することで多大な有用性を発揮し得ることを確認したものである。なお本発明において、パチンコ遊技機を構成する各種部材毎の個別情報を部材個別情報ＩＰ、該各種部材から該パチンコ遊技機を製造する際の組み立ておよび証書等を指示するものであり、製造伝票等に記載される情報を製造情報ＩＡと呼称する。
【手続補正１０】
【補正対象書類名】明細書
【補正対象項目名】００２４
【補正方法】変更
【補正の内容】
【００２４】
前記特定回線Ｌによって接続されている各クライアントマシンＭＣ,ＱＣ,ＳＣ,ＰＣおよびデータベースサーバ２０の間には、目的に応じて少なくとも製造管理手段４０を備え、本実施例については、受注管理手段３０、製造管理手段４０およびアフターサービス管理手段５０(図２参照)が構築されている。また実際に前記受注管理手段３０がない場合には、下記の営業部門Ｓ、該営業部門Ｓに設けられる第３クライアントマシンＳＣおよび受注管理データベース２３等はなく、前記アフターサービス管理手段５０がない場合には、下記の品質管理部門Ｑ、該品質管理部門Ｑに設けられる第２クライアントマシンＱＣおよびアフターサービス管理データベース２５等は設置されない。
【手続補正１１】
【補正対象書類名】明細書
【補正対象項目名】００２８
【補正方法】変更
【補正の内容】
【００２８】
前記製品部材管理手段４２は、パチンコ遊技機を構成する各種部材を効率的に発注、納品および製造(組み立て)し得るための手段であり、第１クライアントマシンＭＣ内の製品部材管理システムＭＣ４２および部材製造部門Ｐに設けられる第４クライアントマシンＰＣ内の製品部材管理システムＰＣ４２と、前記製造管理データベース２４とから構築されるものである。なお、品質管理部門Ｑの第２クライアントマシンＱＣ内に製品部材管理システムＱＣ４２を設けてもよい(図３参照)。
【手続補正１２】
【補正対象書類名】明細書
【補正対象項目名】００２９
【補正方法】変更
【補正の内容】
【００２９】
前記製品出荷管理手段４４は、製造の完了したパチンコ遊技機を構成する完成したパチンコ遊技機の在庫・出荷数等の変更・受注先への出荷を効率的に行なうための手段であり、第１および第３クライアントマシンＭＣ,ＳＣ内の夫々の製品出荷管理システムＭＣ４４およびＳＣ４４と、前記製造管理データベース２４とから構築されるものである。また出荷時に使用される運送会社等の地域による利便度、価格および信用度といった情報を使用した効率的な物流計画も設定可能である。なお、品質管理部門Ｑの第２クライアントマシンＱＣ内に製品出荷管理システムＱＣ４４を設けてもよい(図３参照)。
【手続補正１３】
【補正対象書類名】明細書
【補正対象項目名】００３１
【補正方法】変更
【補正の内容】
【００３１】
前記アフターサービス管理手段５０は、図４に示す如く、アフターサービス用の各種部材を発注および納品に係る処理を行なうアフターサービス部材管理手段５２と、該アフターサービス部材管理手段５２により納品された各種部材等の受注先への出荷に係る処理を行なうアフターサービス部材出荷管理手段５４とを副手段として有している。
【手続補正１４】
【補正対象書類名】明細書
【補正対象項目名】００３２
【補正方法】変更
【補正の内容】
【００３２】
前記アフターサービス部材管理手段５２は、アフターサービスに関する各種部材を効率的に発注および納品し得るための手段であり、第２クライアントマシンＱＣ内のアフターサービス部材管理システムＱＣ５２および部材製造部門Ｐに設けられる第４クライアントマシンＰＣ内のアフターサービス部材管理システムＰＣ５２と、前記アフターサービス管理データベース２５とから構築されるものである。なお、製造部門Ｍの第１クライアントマシンＭＣ内にアフターサービス部材管理システムＭＣ５２を設けてもよい(図４参照)。
【手続補正１５】
【補正対象書類名】明細書
【補正対象項目名】００３３
【補正方法】変更
【補正の内容】
【００３３】
前記アフターサービス部材出荷管理手段５４は、アフターサービスに関する各種部材の在庫・出庫数等の変更・受注先への出荷を効率的に行なうための手段であり、第２および第３クライアントマシンＱＣ,ＳＣ内の夫々のアフターサービス部材出荷管理システムＱＣ５４およびＳＣ５４と、前記アフターサービス管理データベース２５とから構築されるものである。また前述の製品出荷管理手段４４と同様に、出荷時に使用される運送会社等の地域による利便度、価格および信用度といった情報を使用した効率的な物流計画も設定可能である。なお、製造部門Ｍの第１クライアントマシンＭＣ内にアフターサービス部材出荷管理システムＭＣ５４を設けてもよい(図４参照)。
【手続補正１６】
【補正対象書類名】明細書
【補正対象項目名】００３４
【補正方法】変更
【補正の内容】
【００３４】
また前記製造管理手段４０およびアフターサービス管理手段５０では、前記各種部材等の管理の他、証紙が必要とされる、すなわち各種部材の組み立て時の製造の基本となるコーナー飾り(パネル)Ｂ、中枠(バケツ)Ｆおよび主基盤Ｅ(図５および６参照)の３点の場合、所定の手続きを行ない該証紙の発行申請も行なうようになっている。詳しくは後述するが、前記証紙がない場合には、出荷すべきパチンコ遊技機が完成している場合であっても実際にパチンコホール等に設置しての営業行為等は許可されない。また前記証紙は、前記パチンコ遊技機の夫々の製造番号等の製造伝票に記載される内容(製造伝票番号、契約者番号、納品日、運送方法並びに製造内容(機種名、製造種類、台数および保証書番号)等)に関連付けて発行を申請されるものであるので、該証紙についてもパチンコ遊技機を構成する部材の１つとして扱うべく管理を行なっている。
【手続補正１７】
【補正対象書類名】明細書
【補正対象項目名】００３６
【補正方法】変更
【補正の内容】
【００３６】
前記製造管理手段４０およびアフターサービス管理手段５０を効率的に運用するための具体的な方法として、例えばＱＲコードの如き電子的識別手段９０が採用されている。前記電子的識別手段９０は、基本的には前述した製造に関係する全情報を製造・出荷するパチンコ遊技機の各種部材を最小単位として相互に関連付けるために用いられるものであり、前述の全情報があらゆる個別情報から逆引き的に参照可能となっている。
【手続補正１８】
【補正対象書類名】明細書
【補正対象項目名】００４０
【補正方法】変更
【補正の内容】
【００４０】
(付随的な構造)
前述した製造情報管理構造には、主たる各構造に対してデータベースサーバ２０が蓄積した各種情報を更に効率的に活用するための副手段が幾つか付随している。
【手続補正１９】
【補正対象書類名】明細書
【補正対象項目名】００４１
【補正方法】変更
【補正の内容】
【００４１】
前記副手段としては、以下の２つが運用されている。
(1) 前記製造管理手段４０およびアフターサービス管理手段５０を利用して各種部材からパチンコ遊技機等を組み立てる際の検査等で作動不良等を起こした該各種部材の変更または改造等の修理に係る情報を製造部門Ｍおよび品質管理部門Ｑからデータベースサーバ２０内の不良情報管理データベース２７に集積し、必要に応じて各クライアントマシンＭＣ,ＱＣ,ＳＣ,ＰＣに夫々構築されている不良情報管理システムＭＣ７,ＱＣ７,ＳＣ７,ＰＣ７により、特定回線Ｌを介して検索・閲覧可能とした不良情報管理手段７０。
(2) 開発部門等の本社関連部門Ｈからデータベースサーバ２０内の技術情報共有データベース２８に集積され、必要に応じて各クライアントマシンＭＣ,ＱＣ,ＳＣ,ＰＣおよび営業社員が所有する携帯端末ＳＰＣ等に夫々構築されている技術情報共有システムＭＣ８,ＱＣ８,ＳＣ８,ＰＣ８,ＳＰＣ８により、特定回線Ｌを介して検索・閲覧可能とした技術情報共有手段８０。
【手続補正２０】
【補正対象書類名】明細書
【補正対象項目名】００５０
【補正方法】変更
【補正の内容】
【００５０】
前記製品部材管理工程Ｓ４２は、前述の如く、製品部材管理手段４２を運用するための工程であり、殊に製造部門Ｍと部材製造部門Ｐとの間の情報、すなわち各種部材の管理を目的とする工程である。基本的に受注を受けたパチンコ遊技機の製造に係る各種部材の発注を行なうべく、第１クライアントマシンＭＣから入力される部材発注入力段階Ｓ４２-１と、該段階Ｓ４２-１からの指示により各種部材を製造すると共に、第４クライアントマシンＰＣから部材個別情報ＩＰを確認・入力して該部材に付与する電子的識別手段９０を作成する部材製造段階Ｓ４２-２と、製造および電子的識別手段９０の付与を完了した各種部材を出荷すると共に、出荷納品する各種部材の情報を第４クライアントマシンＰＣから入力する出荷段階Ｓ４２-３とからなる。ここで前記部材発注入力段階Ｓ４２-１および発注段階Ｓ４-２と、出荷段階Ｓ４２-３および検品段階Ｓ４-３とは、夫々製品部材管理工程Ｓ４２および製品部材管理手段４２において対応した段階である。
【手続補正２１】
【補正対象書類名】明細書
【補正対象項目名】００５３
【補正方法】変更
【補正の内容】
【００５３】
アフターサービスに関する内容が各種部材だけに関わるものである場合、前記製造段階Ｓ５-４は省略される。また前記アフターサービス部材管理手段５２を運用するアフターサービス部材管理工程Ｓ５２および前記アフターサービス部材出荷管理手段５４を運用するアフターサービス部材出荷管理工程Ｓ５４の補助工程を有している。
【手続補正２２】
【補正対象書類名】明細書
【補正対象項目名】００５４
【補正方法】変更
【補正の内容】
【００５４】
前記アフターサービス部材管理工程Ｓ５２は、前述の如く、アフターサービス部材管理手段５２を運用するための工程であり、殊に品質管理部門Ｑと部材製造部門Ｐとの間の情報、すなわちアフターサービスに関する各種部材の管理を目的とする工程である。基本的にアフターサービスに係る受注を受けたパチンコ遊技機の製造に係る各種部材の発注を行なうべく、第２クライアントマシンＱＣから入力される部材発注入力段階Ｓ５２-１と、該段階Ｓ５２-１からの指示により各種部材を製造または修理すると共に、第４クライアントマシンＰＣから部材情報を入力して該部材に付与する電子的識別手段９０を作成する部材製造段階Ｓ５２-２と、製造および電子的識別手段９０の付与を完了した各種部材を出荷すると共に、出荷納品する各種部材の情報を第４クライアントマシンＰＣから入力する出荷段階Ｓ５２-３とからなる。また  出荷前の状態を検査する出荷前検査段階Ｓ５２-４を経て、部材として出荷することもできる(図９参照)。ここで前記部材発注入力段階Ｓ５２-１および発注段階Ｓ５-２と、出荷段階Ｓ５２-３および検品段階Ｓ５-３とは、夫々アフターサービス部材管理工程Ｓ５２およびアフターサービス部材管理手段５２において対応した段階である。
【手続補正２３】
【補正対象書類名】明細書
【補正対象項目名】００５５
【補正方法】変更
【補正の内容】
【００５５】
前記アフターサービス部材出荷管理工程Ｓ５４は、前述の如く、アフターサービス部材出荷管理手段５４を運用するための工程であり、前記アフターサービス管理工程Ｓ５の一部である。前記製品出荷管理工程Ｓ４４と同様に昨今のパチンコ遊技機の輸送途中のロム等の不正改竄を効率的に防止すべく別途設けたものである。その内容としては、工場出荷前の状態を検査する出荷前検査段階Ｓ５４-１と、受注先から指示された納品場所に到着して納品前に実施される納品前検査段階Ｓ５４-２とからなる。基本的にこれらのチェックは、出荷前検査段階Ｓ５４-１の場合は品質管理部門Ｑによって、納品前検査段階Ｓ５４-２は営業部門Ｓによって行なわれる。また改竄等の問題を生じない部材の場合には、前記納品前検査段階Ｓ５４-２を実施しなくてもよい。
【手続補正２４】
【補正対象書類名】明細書
【補正対象項目名】００６４
【補正方法】変更
【補正の内容】
【００６４】
前記電子的識別手段９０の読取装置は、読み取った該電子的識別手段９０が有する情報、すなわち部材個別情報ＩＰを表示したり、予め製造伝票から読み込ませておいた製造情報ＩＡまたは設定しておいた情報と該電子的識別手段９０が有する情報とを照合して、その結果、すなわち一致または不一致を表示すると共に、製造ラインの一時停止等の動作を連動させることが可能となっている。更に前記部材個別情報ＩＰおよび照合結果等を、随時設定に応じてデータベースサーバ２０に送信し得るようになっている。
【手続補正２５】
【補正対象書類名】明細書
【補正対象項目名】００６６
【補正方法】変更
【補正の内容】
【００６６】
また実際のパチンコ遊技機等の製造に当たっては、該製造の土台(基準)となる部材、例えば中枠Ｆ(パチンコ遊技機製造の際の基準)およびパネルＢ(遊技盤製造の際の基準)等に製品情報ＩＤが与えられる。この製品情報ＩＤは、パチンコ遊技機を構成する各種部材を総括的に示すものであり、現に製造中のものが何れの機種であるのか、および保証書番号を有する証紙に係る保証書番号の照合、といった各種部材を組み立てて得られる製品としての情報の関連付けに使用される。
【手続補正２６】
【補正対象書類名】明細書
【補正対象項目名】００８３
【補正方法】変更
【補正の内容】
【００８３】
本体ラインＳ４-４３を具体的に述べると、まだ取り付けがなされていない取付予定の各部材Ｄ,Ｅ,Ｆ,Ｇを前記遊技盤の所定位置に取り付けると共に、前述したように製造伝票が有する製造情報ＩＡを読取装置に取り込み、各種部材が本機種に取り付けられるべきものであるかをチェック(機種名チェック)し、間違いがなければ取付予定の各種部材全ての電子的識別手段９０を読取装置で読み取り、夫々の情報を関連付ける。
【手続補正２７】
【補正対象書類名】明細書
【補正対象項目名】００８９
【補正方法】変更
【補正の内容】
【００８９】
(出荷前ライン)
前記本体ラインＳ４-４３を経ることで、パチンコ遊技機は製品としてほぼ完成の状態となる。そして本出荷前ラインＳ４-４４で出荷に必要とされる証紙の付与、照合および製品梱包がなされることで製品としての出荷準備が完了することになる。
【手続補正２８】
【補正対象書類名】明細書
【補正対象項目名】００９０
【補正方法】変更
【補正の内容】
【００９０】
具体的には、製造伝票の製造情報ＩＡの１つである証紙の保証書番号と、前記本体ラインＳ４-４３でパチンコ遊技機の構成部材として関連付けられた各種部材の部材個別情報ＩＰを、中枠ＩＤを有する中枠Ｆの部材個別情報ＩＰを用いて関連付けを行なう。この関連付けにより、パチンコ遊技機を構成する各種部材を総括的に示す製品情報ＩＤ(ここでは中枠ＩＤ)と前記証紙の保証書番号との間には、１対１の関係が確立することになる。そしてこの関連付けが完了した時点で、該当するパチンコ遊技機の出荷登録がなされる。
【手続補正２９】
【補正対象書類名】明細書
【補正対象項目名】００９５
【補正方法】変更
【補正の内容】
【００９５】
具体的な内容は以下の通りである。前述した１台のパチンコ遊技機に付与される３つの証紙の保証書番号を、夫々図形として確認する３台の光学カメラと、読み取った図形を文字・数字として認識する図形認識装置とからなる図形認識システムにより確認して、該パチンコ遊技機の主たる部材である前述したバケツの電子的識別手段９０を利用して関連付けられた保証書番号と照合する。そして照合結果に問題がなければ、該当パチンコ遊技機を、社名、製造伝票番号および台数(台数／出荷全台数)が印刷されたビニール等の被覆物で被覆し、これを手動または自動で出荷前保管庫に移動させる。なお前記証紙の保証書番号に間違いがあった場合には、該証紙等の確認をして所定の対応をとる。
【手続補正３０】
【補正対象書類名】明細書
【補正対象項目名】００９６
【補正方法】変更
【補正の内容】
【００９６】
そして出荷後、納品前には、最終的な確認を目的として、製品出荷管理工程Ｓ４４の納品前検査段階Ｓ４４-２が営業部門Ｓによって納品現場で顧客立ち会いの元に行なわれる。この納品前検査段階Ｓ４４-２で実施されるチェックは、具体的にはロムの交換等による、所謂不正改造を防止することが主目的であり、営業社員が携帯端末ＳＰＣを使用して、該パチンコ遊技機の電子的識別手段９０の情報を読み取り、これと目視により確認可能な部材情報とを照合することで実施される。またこの納品前検査段階Ｓ４４-２を実行することで、所定日に行なわれるパチンコ遊技機と証紙の保証書番号との照合に関しての前確認の役割も果たす。なお、顧客に対して製品の納品が完了した際には、納品完了の情報が前記受注管理手段３０に対してもフィードバックされる。
【手続補正３１】
【補正対象書類名】明細書
【補正対象項目名】００９７
【補正方法】変更
【補正の内容】
【００９７】
(アフターサービスに関する流れ)
ここまでの説明は、製品であるパチンコ遊技機または遊技盤等の新規注文に対する製造部門Ｍの製造管理工程Ｓ４に係る各対応工程についてのものであるが、出荷済みのパチンコ遊技機の一部材が故障等を起こした際の故障品の注文等の処理を扱うアフターサービス管理工程Ｓ５の流れ(Ｓ５−４１,Ｓ５−４２,Ｓ５−４３,Ｓ５−４４(図１２参照))も基本的に同一である。
【手続補正３２】
【補正対象書類名】明細書
【補正対象項目名】００９９
【補正方法】変更
【補正の内容】
【００９９】
前記故障品については、前記品質管理部門Ｑに回収がなされると共に原因追求が行なわれる。そして故障に関する情報は、前記不良情報管理手段７０により管理される。そして製造上の原因で同一ロット等の他の同一部材についても故障の発生が懸念される場合には、前記電子的識別手段９０により関連付けられた情報群から、他の同一部材が使用されたパチンコ遊技機の出荷先等を検索し、事前的な対応をとることで顧客満足度を向上させる手段の１つとして活用する。
【手続補正３３】
【補正対象書類名】明細書
【補正対象項目名】０１０１
【補正方法】変更
【補正の内容】
【０１０１】
また前記故障品の回収に当たって、営業社員が顧客先に赴き故障状況を確認することがあるが、状況によってはその場で対応可能な場合もある。このような場合、前記技術情報共有手段８０により実施される技術情報共有工程Ｓ８に従って、技術情報共有データベース２８に対して過去から蓄積されている、またはパチンコ遊技機の研究開発途中に得られた各情報に対してのアクセスを可能としているので、あらゆる故障等に対して現場、すなわち現場での迅速な対応を可能としている。なおノウハウ的な情報が蓄積される前記技術情報共有データベース２８に対するアクセスは、通常営業部門Ｓの第３クライアントマシンＳＣを介することでセキュリティを設け、情報の外部流出について安全性をより高く設定し得るようにされている。
【手続補正３４】
【補正対象書類名】明細書
【補正対象項目名】０１０３
【補正方法】変更
【補正の内容】
【０１０３】
【発明の効果】
以上に説明した如く、本発明に係る製造情報管理構造によれば、製造時に必要とされる各種部材の製造、組み立ておよび修理等の際に必要とされる、各種の確認および検索等を自動化・システム化し、該情報を常に最新情報の共有し得ると共に、各種部材の製造部門または製造メーカー、製造日時および製造ロット等の部材情報を該部材の集合体である、例えばパチンコ遊技機等の製品の単位で関連付けを行なうことで、該各種部材の組み付けの照合確認、受注先および出荷先の参照確認、該各種部材情報からの必要な部材情報等の逆引き並びに製造工程における効率的なスケジュール管理・変更等を容易に行ない得る。
【手続補正３５】
【補正対象書類名】図面
【補正対象項目名】図１
【補正方法】変更
【補正の内容】
【図１】
2002366610.tif 000001
【手続補正３６】
【補正対象書類名】図面
【補正対象項目名】図３
【補正方法】変更
【補正の内容】
【図３】
2002366610.tif 000002
【手続補正３７】
【補正対象書類名】図面
【補正対象項目名】図４
【補正方法】変更
【補正の内容】
【図４】
2002366610.tif 000003
【手続補正３８】
【補正対象書類名】図面
【補正対象項目名】図５
【補正方法】変更
【補正の内容】
【図５】
2002366610.tif 000004